(57)【特許請求の範囲】
【請求項１】
制御装置と、複数のＡＶ信号生成装置と、これら装置とネットワーク回線を介して接続される複数の端末装置とからなるＡＶシステムにおいて、
各端末装置は、予約手段と、ＡＶ出力手段とを備え、
予約手段は、曲を指定する共通コードが入力されると、当該共通コードと、当該端末装置の識別番号を制御装置に送信し、
ＡＶ出力手段は、制御装置から受信したチャンネル番号に対応した受信周波数を合わせて、ＡＶ信号生成装置から受信される音響信号および映像信号を復調して再生し、
制御装置は、端末装置から共通コードおよび識別番号を受信すると、再生中でなく、当該共通コードに対応する１のＡＶ信号生成装置を選択し、受信した共通コードを選択したＡＶ信号生成装置に送信すると共に、選択したＡＶ信号生成装置に対応するチャンネル番号を当該端末装置に送信し、
ＡＶ信号生成装置は、制御装置から共通コードを受信すると、受信した共通コードを自機種に特有なコード体系の機種依存コードに変換し、当該機種依存コードに対応する音響信号および映像信号を再生し変調して送信する
ＡＶシステム。
【発明の詳細な説明】
【０００１】
【発明の属する技術分野】
この発明は、ＡＶシステムに関する。
【０００２】
【従来の技術】
従来より、ＡＶシステムである例えば、カラオケボックス等において、店内の集中管理室に設置したカラオケ設備をネットワーク回線を介して店内の各部屋（以下、ボックスという）にて共有する、いわゆる集中管理式のカラオケシステムが知られている。
一般に、この種のカラオケシステムは、集中管理室に所定台数のＬＤ（レーザディスク）再生装置とＬＤチェンジャを設置する一方、各ボックスには予約機とＡＶ出力機器（サウンドシステム、ディスプレイ等）のみを設置し、集中管理室では各ボックスからのリクエストに応じて曲の再生を行い、そのＡＶ（オーディオ／ビデオ）信号を各ボックスに供給するようになっている。
こうした集中管理式のカラオケシステムでは、各ボックス毎にカラオケ設備を設置する必要がないことから、ボックス内にカラオケ設備を設置するためのスペースを設ける必要がなく、店内のスペースを効率的に使用できるという利点がある。
【０００３】
【発明が解決しようとする課題】
ところで、上述した集中管理式のカラオケシステムにおいて、ＬＤ再生装置等のカラオケ装置を増設してシステム拡張しようとする場合、ボックス内のＡＶ出力機器とのインタフェースを既設の装置と合わせる必要があることから、結果的に増設可能な装置は既設のものと同一機種に限られる場合が多い。
一方、近年のカラオケ装置の進歩は速く、各メーカからは新製品が次々と提供されており、既設の設備を残しつつもメーカや機種にこだわらずより機能の高い製品であればこれを導入したいと考えるユーザも多い。
しかしながら、従来の集中管理式のカラオケシステムは、上述したように既設の設備との整合性という観点から増設可能な機種が極めて制限されるため、折角高機能な製品がメーカから提供されたとしてもこれを導入することできないという問題があった。
【０００４】
この発明は、このような背景の下になされたもので、集中管理式のシステム構成において、操作者に機種の相違を意識させることなく異機種のＡＶ装置を混在させることができ、システムの拡張性に優れたＡＶシステムを提供することを目的としている。
【０００６】
【課題を解決するための手段】
上述した課題を解決するために、請求項１記載の発明は、制御装置と、複数のＡＶ信号生成装置と、これら装置とネットワーク回線を介して接続される複数の端末装置とからなるＡＶシステムにおいて、各端末装置は、予約手段と、ＡＶ出力手段とを備え、予約手段は、曲を指定する共通コードが入力されると、当該共通コードと、当該端末装置の識別番号を制御装置に送信し、ＡＶ出力手段は、制御装置から受信したチャンネル番号に対応した受信周波数を合わせて、ＡＶ信号生成装置から受信される音響信号および映像信号を復調して再生し、制御装置は、端末装置から共通コードおよび識別番号を受信すると、再生中でなく、当該共通コードに対応する１のＡＶ信号生成装置を選択し、受信した共通コードを選択したＡＶ信号生成装置に送信すると共に、選択したＡＶ信号生成装置に対応するチャンネル番号を当該端末装置に送信し、ＡＶ信号生成装置は、制御装置から共通コードを受信すると、受信した共通コードを自機種に特有なコード体系の機種依存コードに変換し、当該機種依存コードに対応する音響信号および映像信号を再生し変調して送信することを特徴とする。
【００１５】
【発明の実施の形態】
以下、図面を参照して、この発明の実施形態について説明する。
Ａ：実施形態の構成
図１はこの発明の一実施形態の構成を示すブロック図である。同図において、１は、カラオケボックスの店内の集中管理室に設置された制御装置である。この制御装置１は、パーソナルコンピュータ、ハードディスク等から構成されており、後述する集中管理室内のシステム各部を制御する。なお、制御装置１は、図示しないホストコンピュータと接続されており、このホストコンピュータからカラオケの曲データを受信可能になっている。この受信した曲データは後述する音源型カラオケ装置に供給され、該装置内に蓄積される。
【００１６】
また、集中管理室には、機種が異なる３種のカラオケ装置群が設置されている。すなわち、第１のカラオケ装置群は同一機種の３台の音源型カラオケ装置２１〜２３であり、第２のカラオケ装置群は同一機種の２台のＬＤ型カラオケ装置３１，３２であり、第３のカラオケ装置群は上記装置３１，３２とは機種が異なる同一機種の２台のＬＤ型カラオケ装置４１，４２である。これらカラオケ装置群は、共通の双方向バスＢＵＳ１を介し、制御装置１と接続されている。
【００１７】
一方、店内の各ボックスＢＸ１，ＢＸ２，……には、店内のネットワーク回線Ｎを介し集中管理室の制御装置１やカラオケ装置群と接続されるカラオケ端末ＫＴが各々設置されている。カラオケ端末ＫＴは、操作者が曲番号の入力や各種演奏制御の入力操作を行う予約機（リモートコントローラ）１１、集中管理室のカラオケ装置から供給されるＡＶ（オーディオ／ビデオ）信号に基づき音響と背景映像とを出力するＡＶ出力機器（サウンドシステム、ディスプレイ等からなる）１２、およびネットワーク回線Ｎとの間で信号の入出力を行うＲＦインタフェース１３からなっている。
【００１８】
このように、店内の各ボックスＢＸ１，ＢＸ２，……には、曲の予約とＡＶ出力を行うための設備のみが設置され、その他のカラオケ設備は全て集中管理室に設置された、集中管理式のシステム構成になっている。
【００１９】
また、上記各カラオケ装置群は互いに機種が異なることから、各々異なるコード体系に基づき曲番号が指定され、対応する曲を再生するようになっている。したがって、カラオケ端末ＫＴ側から見て共通のコード体系の下に指定された曲番号を各々のカラオケ装置群の機種に特有のコード体系に基づいた曲番号に変換すべく、各々のカラオケ装置群とバスＢＵＳ１との間には、以下のようなコード変換機構が介挿されている。
【００２０】
すなわち、第１のカラオケ装置群２１〜２３とバスＢＵＳ１との間にはコード変換処理部１２１〜１２３が、第２のカラオケ装置群３１，３２とバスＢＵＳ１との間にはコード変換処理部１３１，１３２が、第３のカラオケ装置群４１，４２とバスＢＵＳ１との間にはコード変換処理部１４１，１４２がそれぞれ介挿されている。これら各コード変換処理部には、共通のコード体系を各々の機種に特有のコード体系に変換するための変換テーブルが記憶されている。
【００２１】
ここで、カラオケ端末ＫＴにおいて共通のコード体系に基づき入力される曲番号は、例えば「ｘｘｘｘ−ｙｙ」のような形式であり、各カラオケ装置群が再生すべき曲番号の範囲は各々割り当てが決められている。すなわち、第１のカラオケ装置群２１〜２３は、「００００−００〜１０００−００」の曲番号に対応する曲を再生し、第２のカラオケ装置群３１，３２は、「１０００−０１〜８０００−００」の曲番号に対応する曲を再生し、第３のカラオケ装置群４１，４２は、「８０００−０１〜９９９９−９９」の曲番号に対応する曲を再生する。各カラオケ装置群に対応するコード変換処理部には、各々に割り当てられた曲番号の範囲についての情報が上記変換テーブルとともに記憶されている。
【００２２】
また、各カラオケ装置群のＡＶ出力を制御装置１によって指定された周波数のキャリアで変調すべく、第１のカラオケ装置群２１〜２３の出力端にはＲＦモジュレータ２２１〜２２３が、第２のカラオケ装置群３１，３２の出力端にはＲＦモジュレータ２３１，２３２が、第３のカラオケ装置群４１，４２の出力端にはＲＦモジュレータ２４１，２４２がそれぞれ接続されている。これらＲＦモジュレータの出力信号は、共通のＡＶ出力用バスＢＵＳ２を介し、ネットワーク回線Ｎに送出されるようになっている。
【００２３】
また、制御装置１とネットワーク回線Ｎとの間にはＲＦモジュレータ５１とＲＦデモジュレータ５２とが介挿されており、ＲＦモジュレータ５１は、制御装置１から出力される下り信号を所定周波数のキャリアで変調しこれをネットワーク回線Ｎに出力し、ＲＦデモジュレータ５２は、ネットワーク回線Ｎから入力される所定周波数の上り信号を復調しこれを制御装置１に出力する。
【００２４】
ここで、ネットワーク回線Ｎは、図２に示すように、周波数帯域によって複数のチャネルに分割されており、カラオケ端末ＫＴから制御装置１へ送信される上り信号用のチャネル、制御装置１からカラオケ端末ＫＴへ送信される下り信号のチャネル、および各カラオケ装置群のＡＶ出力用の複数のチャネルが設定されている。
【００２５】
Ｂ：実施形態の動作
次に、上記構成からなる実施形態の動作を説明する。
（１）第１のカラオケ装置群による再生
まず、例えばボックスＢＸ２の予約機１１より曲番号「０９００−１１」が入力されると、この曲番号にボックスＢＸ２のノード番号ＮＯＤＥ＃を付加したリクエスト信号Ｒｅｑ＃がＲＦインタフェース１３を介しネットワーク回線Ｎへ送出される。このリクエスト信号Ｒｅｑ＃は、集中管理室のＲＦデモジュレータ５２を介し制御装置１に取り込まれる。これにより、制御装置１は、リクエスト信号Ｒｅｑ＃に含まれる曲番号「０９００−１１」をバスＢＵＳ１へ送出する。
【００２６】
ここで、曲番号「０９００−１１」は、第１のカラオケ装置群２１〜２３が再生すべき曲を指定する番号であることから、第１のカラオケ装置群のうち何れか使用中でない（すなわち他のリクエストに係る曲を再生中でない）カラオケ装置に対応するコード変換処理部に取り込まれる。例えば、カラオケ装置２１が使用中でないものとすると、曲番号「０９００−１１」はコード変換処理部１２１に入力され、第１のカラオケ装置群の機種に特有のコード体系に対応した曲番号に変換される。また、このときコード変換処理部２１は、第１のカラオケ装置群を示すデバイス番号とその中のカラオケ装置２１を示す識別番号とを含む受信確認信号ＡＣＫを制御装置１へ返送する。
【００２７】
そして、上記変換後の曲番号は、カラオケ装置２１に入力され、該番号に対応する演奏情報（歌詞情報を含む）と背景映像情報が図示しないハードディスク等の記憶媒体から順次読み出される。これにより、演奏情報に対応したオーディオ信号が音源（図示略）によって合成されるとともに、背景映像情報と歌詞情報に対応したビデオ信号が画像合成部（図示略）によって合成され、これらがＡＶ信号としてＲＦモジュレータ２２１に出力される。
【００２８】
一方、制御装置１は、上記受信確認信号ＡＣＫに基づき、当該曲の再生を行っているカラオケ装置２１を同定し、これに対応するＲＦモジュレータ２２１にＡＶ信号の出力チャネル（すなわち変調周波数）を指定するとともに、このチャネルを示すチャネル番号ＣＨ＃をボックスＢＸ２のノード番号ＮＯＤＥ＃を付加してネットワーク回線Ｎへ送出する。
【００２９】
こうして、ＲＦモジュレータ２２１は、制御装置１によって指定されたチャネルの周波数でＡＶ信号を変調し、これをバスＢＵＳ２を介してネットワーク回線Ｎに流す一方、ボックスＢＸ２のＲＦインタフェース１３は、制御装置１から送られるチャネル番号ＣＨ＃に対応した周波数に受信周波数を合わせ、上記ＲＦモジュレータ２２１から送出されるＡＶ信号を受信／復調する。このＡＶ信号がＡＶ出力機器１２に供給されることにより、リクエストされた曲番号「０９００−１１」に対応した曲が演奏され、その背景映像が表示される。
【００３０】
（２）第２のカラオケ装置群による再生
また、例えばボックスＢＸ２の予約機１１より曲番号「１８００−２１」が入力された場合、この曲番号「１８００−２１」は、第２のカラオケ装置群３１，３２が再生すべき曲を指定する番号であることから、第２のカラオケ装置群のうちの何れかのカラオケ装置に対応するコード変換処理部に取り込まれる。例えば、カラオケ装置３１が使用中でないものとすると、曲番号「１８００−２１」はコード変換処理部１３１に入力され、第２のカラオケ装置群の機種に特有のコード体系に対応した曲番号に変換される。
【００３１】
そして、この変換後の曲番号がカラオケ装置３１に入力されると、ＬＤチェンジャによってその曲番号に対応する曲を記憶したＬＤが選択され、さらにＬＤ再生装置によってその曲のＡＶ信号が再生される。
【００３２】
一方、制御装置１は、前述と同様、コード変換処理部３１から供給された受信確認信号ＡＣＫに基づき、当該曲の再生を行っているカラオケ装置３１を同定し、これに対応するＲＦモジュレータ２３１にＡＶ信号の出力チャネルを指定するとともに、そのチャネル番号ＣＨ＃をボックスＢＸ２のノード番号ＮＯＤＥ＃を付加してネットワーク回線Ｎへ送出する。
【００３３】
こうして、ＲＦモジュレータ２３１は、制御装置１が指定するネットワーク回線Ｎのチャネル（周波数）にＡＶ信号を送出する一方、ボックスＢＸ２のＲＦインタフェース１３は、上記指定されたチャネルに受信周波数を合わせ、ＡＶ信号を受信する。これにより、ボックスＢＸ２では、リクエストした曲番号「１８００−２１」に対応する曲が演奏され、その背景映像が表示される。
【００３４】
（３）第３のカラオケ装置群による再生
さらに、例えば第３のカラオケ装置群４１，４２に対応する曲番号（例えば、「８１００−３１」）が入力された場合、第３のカラオケ装置群４１，４２のうちの何れかのカラオケ装置で曲が再生される。その他の動作については、前述の第２のカラオケ装置群の場合と同様であるので説明を省略する。
【００３５】
Ｃ：実施形態のまとめ
このように、本実施形態によれば、カラオケ装置の機種に依存しない共通のコード体系に基づき入力される曲番号は、集中管理室に設置された異機種のカラオケ装置群に供給される前に、コード変換処理部において各々の機種に特有のコード体系に対応した曲番号に変換されるので、操作者に機種の相違を意識させることなく、異機種のカラオケ装置が混在したシステムを構築することができる。すなわち、システムを拡張する場合に、新たに増設するカラオケ装置のコード体系に対応したコード変換処理部を設けるのみで、既設のものと異なる機種のカラオケ装置を容易に増設することが可能となる。
【００３６】
Ｄ：変更例
なお、本発明は、上記実施形態の態様に限らず、例えば以下のような変更が可能である。
（１）集中管理室に設置される各カラオケ装置群の台数は上記実施形態に限られず、任意である。
（２）また、上記実施形態では、カラオケ装置群の機種を３種としたが、これに限らず、その他の機種のカラオケ装置を増設し、さらに多くの種類のカラオケ装置群によってシステムを構成してもよい。
（３）また、上記実施形態では、各カラオケ装置毎にコード変換処理部を設けるようにしたが、各々のカラオケ装置群は同一機種であるから、１つのカラオケ装置群について１つのコード変換処理部を共用するようにしてもよい。
（４）さらに、曲番号の入力形式は上記実施形態に限られず、任意である。
【００３７】
【発明の効果】
以上説明したように、この発明によれば、集中管理式のＡＶシステムにおいて、新たに増設するＡＶ装置の機種に特有のコード体系に対応したコード変換処理部を設けるのみで、既設のものと異なる機種のＡＶ装置を容易に増設することができる。したがって、操作者に機種の相違を意識させることなく、異機種のＡＶ装置が混在したシステムを構築でき、システムの拡張性が向上するという効果が得られる。
【図面の簡単な説明】
【図１】  この発明の一実施形態の構成を示すブロック図である。
【図２】  同実施形態によるネットワーク回線のチャネル分割を説明するための概念図である。
【符号の説明】
１…制御装置、２１〜２３，３１，３２，４１，４２…カラオケ装置、１１…予約機、１２…ＡＶ出力機器、１３…ＲＦインタフェース、１２１〜１２３，１３１，１３２，１４１，１４２…コード変換処理部、２２１〜２２３，２３１，２３２，２４１，２４２…ＲＦモジュレータ、５１…ＲＦモジュレータ、５２…ＲＦデモジュレータ、ＢＵＳ１，ＢＵＳ２…バス、Ｎ…ネットワーク回線。
【図１】
0003760685.tif 000002
【図２】
0003760685.tif 000003